(57)【要約】【課題】簡単な機構でありかつ設計通りの力で破断するようにして、使い勝手のよいトリガ機能付き固定部を提供する。また、このトリガ機能付き固定部を用いて製造容易にし、かつ設計通りの力で免震開始するようにして免震性能を向上させた免震装置を提供する。【解決手段】第１取り付け部１１、連結固定部１２、および、第２取り付け部１３の順に配列された状態で一枚の板体から一体に形成されるトリガ機能付き固定部１０であって、板体側面から視たときの厚みが薄く、かつ、板体正面から視たときの連結固定部１２の幅が第１取り付け部１１および第２取り付け部１３の幅よりも薄く形成されるトリガ機能付き固定部とした。また、このようなトリガ機能付き固定部を用いる免震装置とした。【選択図】図１
2011038619.tif 000002
【特許請求の範囲】
【請求項１】
免震装置の上側免震架台に固定される第１取り付け部と、
前記第１取り付け部と一体に連結される連結固定部と、
前記連結固定部と一体に連結されており、免震装置の下側免震架台に固定される第２取り付け部と、
を有し、前記第１取り付け部、前記連結固定部、および、前記第２取り付け部の順に配列された状態で一枚の板体から一体に形成されるトリガ機能付き固定部であって、
前記第１取り付け部、前記連結固定部、および、前記第２取り付け部は、板体側面から視たときの厚みが薄く、かつ、
前記連結固定部は、板体正面から視たときの幅が第１取り付け部および第２取り付け部の幅よりも薄く形成される、
ことを特徴とするトリガ機能付き固定部。
【請求項２】
請求項１に記載のトリガ機能付き固定部において、
前記第１取り付け部または前記第２取り付け部は、少なくとも一方に固定ねじが挿通される長孔が形成され、かつ他方に固定ねじが挿通される円孔が形成されることを特徴とするトリガ機能付き固定部。
【請求項３】
請求項２に記載のトリガ機能付き固定部において、
前記トリガ機能付き固定部は、その正面が略工字状の形状を有し、かつその側面が線状の形状を有することを特徴とするトリガ機能付き固定部。
【請求項４】
請求項１に記載のトリガ機能付き固定部において、
前記第１取り付け部または前記第２取り付け部は、免震装置の上側免震架台および下側免震架台にそれぞれ設けられる上側と下側の孔部にトリガ機能付き固定部が挿通されたときに両方の孔部内に位置することを特徴とするトリガ機能付き固定部。
【請求項５】
請求項４に記載のトリガ機能付き固定部において、
前記第１取り付け部に固定され、前記上側免震架台に係止される係止部を備えることを特徴とするトリガ機能付き固定部。
【請求項６】
請求項４または請求項５に記載のトリガ機能付き固定部において、
前記トリガ機能付き固定部は、その正面が略工字状の形状を有し、かつその側面が略Ｌ字状の形状を有することを特徴とするトリガ機能付き固定部。
【請求項７】
上側免震架台と、
下面が地面または床面に固定されており、上側免震架台を水平方向に移動するように支持する下側免震架台と、
前記上側免震架台と前記下側免震架台とをこれらの側面で連結固定する請求項１〜請求項６の何れか一項に記載の複数のトリガ機能付き固定部と、
を有し、所定力以下の力が加わるときに複数のトリガ機能付き固定部が上側免震架台の移動を抑え、また、所定力を超える力が加わるときに複数のトリガ機能付き固定部の連結固定部が破断して、上側免震架台を移動させて免震する、
ことを特徴とする免震装置。
【発明の詳細な説明】
【技術分野】
【０００１】
本発明は、所定力を超えたときに固定を解くトリガ機能付き固定部およびこのトリガ機能付き固定部を搭載した免震装置に関する。
【０００２】
従来技術の免震装置として、例えば、特許文献１（特開２０００−１７８９１号公報、発明の名称「免震装置」）に記載の発明が知られている。
特許文献１に記載の従来技術では、丸棒状であって細径部を有するトリガ機構が免震装置に取り付けられ、免震装置に加わる振動が設定した力以下の場合にはトリガ機構が破断しないで免震動作を行わないが、免震装置に加わる振動が設定した力を超える場合にはトリガ機構の細径部が破断して免震動作を開始する、というものである。
【先行技術文献】
【特許文献】
【０００３】
【特許文献１】特開２０００−１７８９１号公報（段落番号［００１４］，図１）
【発明の概要】
【発明が解決しようとする課題】
【０００４】
しかしながら、上記特許文献１に記載の免震装置では、先に説明したように丸棒状であって細径部を有するトリガ機構であるため、例えば、円形の免震装置への中央への配置に限定されるきらいがあった。
また、特許文献１に記載のトリガ機構は免震装置の内部へ配置されるため、取り付けは容易ではないという問題もあった。
さらにまた、特許文献１に記載のトリガ機構は丸棒体に細径部を形成するというものであり、加工に手間を要するという問題もあった。
さらにまた、特許文献１に記載のトリガ機構では、トリガを開始する力を大きくすると細径部が大きくなるため、トリガ機構の大型化が避けられないという問題もあった。
【０００５】
そこで、本発明は上記した問題に鑑みてなされたものであり、その目的は、簡単な機構でありかつ設計通りの力で破断するようにして、使い勝手のよいトリガ機能付き固定部を提供することにある。
また、このトリガ機能付き固定部を用いて製造容易にし、かつ設計通りの力で免震開始するようにして免震性能を向上させた免震装置を提供することにある。
【課題を解決するための手段】
【０００６】
本発明の請求項１に係るトリガ機能付き固定部は、
免震装置の上側免震架台に固定される第１取り付け部と、
前記第１取り付け部と一体に連結される連結固定部と、
前記連結固定部と一体に連結されており、免震装置の下側免震架台に固定される第２取り付け部と、
を有し、前記第１取り付け部、前記連結固定部、および、前記第２取り付け部の順に配列された状態で一枚の板体から一体に形成されるトリガ機能付き固定部であって、
前記第１取り付け部、前記連結固定部、および、前記第２取り付け部は、板体側面から視たときの厚みが薄く、かつ、
前記連結固定部は、板体正面から視たときの幅が第１取り付け部および第２取り付け部の幅よりも薄く形成される、
ことを特徴とする。
【０００７】
また、本発明の請求項２に係るトリガ機能付き固定部は、
請求項１に記載のトリガ機能付き固定部において、
前記第１取り付け部または前記第２取り付け部は、少なくとも一方に固定ねじが挿通される長孔が形成され、かつ他方に固定ねじが挿通される円孔が形成されることを特徴とする。
【０００８】
また、本発明の請求項３に係るトリガ機能付き固定部は、
請求項２に記載のトリガ機能付き固定部において、
前記トリガ機能付き固定部は、その正面が略工字状の形状を有し、かつその側面が線状の形状を有することを特徴とする。
【０００９】
また、本発明の請求項４に係るトリガ機能付き固定部は、
請求項１に記載のトリガ機能付き固定部において、
前記第１取り付け部または前記第２取り付け部は、免震装置の上側免震架台および下側免震架台にそれぞれ設けられる上側と下側の孔部にトリガ機能付き固定部が挿通されたときに両方の孔部内に位置することを特徴とする。
【００１０】
また、本発明の請求項５に係るトリガ機能付き固定部は、
請求項４に記載のトリガ機能付き固定部において、
前記第１取り付け部に固定され、前記上側免震架台に係止される係止部を備えることを特徴とする。
【００１１】
また、本発明の請求項６に係るトリガ機能付き固定部は、
請求項４または請求項５に記載のトリガ機能付き固定部において、
前記トリガ機能付き固定部は、その正面が略工字状の形状を有し、かつその側面が略Ｌ字状の形状を有することを特徴とする。
【００１２】
本発明の請求項７に係る免震装置は、
上側免震架台と、
下面が地面または床面に固定されており、上側免震架台を水平方向に移動するように支持する下側免震架台と、
前記上側免震架台と前記下側免震架台とをこれらの側面で連結固定する請求項１〜請求項６の何れか一項に記載の複数のトリガ機能付き固定部と、
を有し、所定力以下の力が加わるときに複数のトリガ機能付き固定部が上側免震架台の移動を抑え、また、所定力を超える力が加わるときに複数のトリガ機能付き固定部の連結固定部が破断して、上側免震架台を移動させて免震する、
ことを特徴とする。
【発明の効果】
【００１３】
本発明によれば、簡単な機構でありかつ設計通りの力で破断するようにして、使い勝手のよいトリガ機能付き固定部を提供することができる。
また、このトリガ機能付き固定部を用いて製造容易にし、かつ設計通りの力で免震開始するようにして免震性能を向上させた免震装置を提供することができる。
【図面の簡単な説明】
【００１４】
【図１】本発明を実施するための形態のトリガ機能付き固定部の説明図であり、図１（ａ）は正面図、図１（ｂ）は側面図である。
【図２】本発明を実施するための形態の免震装置の説明図であり、図２（ａ）は通常型の免震装置の平面図、図２（ｂ）は通常型の免震装置の側面図である。
【図３】トリガ機能付き固定部の水平方向免震装置への取り付けを説明する説明図であり、図３（ａ）はスペーサの配置の説明図、図３（ｂ）はトリガ機能付き固定部の配置の説明図、図３（ｃ）はトリガ機能付き固定部の固定の説明図である。
【図４】本発明を実施するための形態の免震装置の説明図であり、図４（ａ）は大型の免震装置の平面図、図４（ｂ）は大型の免震装置の側面図である。
【図５】本発明を実施するための他の形態のトリガ機能付き固定部の説明図であり、図５（ａ）は正面図、図５（ｂ）は側面図である。
【図６】ストッパ金具の説明図であり、図６（ａ）は平面図、図６（ｂ）は正面図、図６（ｃ）は側面図である。
【図７】本発明を実施するための他の形態の免震装置の説明図であり、図７（ａ）は通常型の免震装置の平面図、図７（ｂ）は通常型の免震装置の側面図である。
【図８】トリガ機能付き固定部の水平方向免震装置への取り付けを説明する説明図であり、図８（ａ）はトリガ機能付き固定部の取り付け前状態の説明図、図８（ｂ）はトリガ機能付き固定部の取り付け状態の説明図である。
【図９】本発明を実施するための形態の免震装置の説明図であり、図９（ａ）は大型の免震装置の平面図、図９（ｂ）は大型の免震装置の側面図である。
【図１０】本発明を実施するための他の形態のトリガ機能付き固定部の説明図であり、図１０（ａ）は正面図、図１０（ｂ）は側面図である。
【図１１】本発明を実施するための他の形態のトリガ機能付き固定部の説明図であり、図１１（ａ）は正面図、図１１（ｂ）は側面図である。
【発明を実施するための形態】
【００１５】
続いて、本発明を実施するための形態のトリガ機能付き固定部について図を参照しつつ以下に説明する。本形態のトリガ機能付き固定部１０は、図１（ａ），（ｂ）で示すように、第１取り付け部１１、連結固定部１２、第２取り付け部１３を備えている。
また、本形態の免震装置１００は、図２（ａ），（ｂ）で示すように、複数のトリガ機能付き固定部１０、水平方向免震装置２０を備え、水平方向免震装置２０の側面に複数のトリガ機能付き固定部１０が設置固定される。
【００１６】
続いて各構成について説明する。まず、トリガ機能付き固定部１０の構成について説明する。
第１取り付け部１１は、図１（ａ）で示すように、略長方形の部材であり、水平方向免震装置２０の上側免震架台２１（図２，図３参照）に固定される部分である。中央付近には、水平方向免震装置２０の上側免震架台２１に固定ねじ４０（図３参照）が挿通される略長方形の長孔１１ａが形成されている。
連結固定部１２は、第１取り付け部１１と第２取り付け部１３とを連結する部材であり、長方形の部材である。
第２取り付け部１３は、略長方形の部材であり、水平方向免震装置２０の下側免震架台２２（図２，図３参照）に固定される部分である。中央付近には、水平方向免震装置２０の下側免震架台２２に固定ねじ４０（図３参照）が挿通される円孔１３ａが形成されている。
【００１７】
このようなトリガ機能付き固定部１０は、合成樹脂製や金属製の一枚の板体から一体に形成され、第１取り付け部１１、連結固定部１２、および、第２取り付け部１３の順で一体に配列された状態となる。これらのような第１取り付け部１１、連結固定部１２、および、第２取り付け部１３は、図１（ｂ）で示すように、ともに板体側面の厚みｔは同じ幅であって薄く形成されている。さらに、連結固定部１２は、第１取り付け部１１および第２取り付け部１３の横側の幅ａと比較して、正面から視たとき横側の幅ｂが幅薄に形成される。また、正面から視たときの縦側の長さは同じ断面積の箇所が長くなるように形成されている。このような構造であるため、第１取り付け部１１および第２取り付け部１３に剪断力が働く場合には、連結固定部１２に力が加わって容易に折れやすくなっている。
【００１８】
トリガ機能付き固定部１０は、図１（ａ）のように正面から視ると、その正面の形状が略工字状の形状を有している。また、トリガ機能付き固定部１０は、図１（ｂ）のように側面から視ると、その側面の形状が線状の形状を有している。
【００１９】
このような形状のトリガ機能付き固定部１０の製造方法では、適宜な大きさに形成された長方形の一枚板を準備し、この長方形状の一枚板に連結固定部１２の両サイドの側面部材を切り取って切り欠き部１２ａを形成すれば、第１取り付け部１１、連結固定部１２、第２取り付け部１３が一体に形成されることとなる。そして長孔１１ａや円孔１３ａを形成して完成する。例えば、切削などで形成される。なお、長孔１１ａ、切り欠き１２ａ、円孔１３ａを打ち抜き、パンチングなどにより同時に形成してもよい。また、型等を用いて鋳物や樹脂により切削等なしに形成してもよい。
【００２０】
続いて、このようなトリガ機能付き固定部１０を用いる免震装置１００について図を参照しつつ説明する。本形態の免震装置１００は、図２（ａ），（ｂ）で示すように、複数のトリガ機能付き固定部１０、水平方向免震装置２０を備え、水平方向免震装置２０の側面に複数のトリガ機能付き固定部１０が設置固定される。さらに水平方向免震装置２０は、上側免震架台２１、下側免震架台２２を備える。
【００２１】
上側免震架台２１は、サーバ等の免震対象１（図２中の一点鎖線による想像線部）が配置される台であり、詳しくは２個の台部２１１と、これら２個の台部２１１を連結する連結梁部２１２と、を備えている。中央には開口部２１３が設けらることとなり軽量化が図られている。
【００２２】
下側免震架台２２は、詳しくは２個の台部２２１と、これら２個の台部２２１を連結する連結梁部２２２と、を備えている。中央には開口部２２３が設けらることとなり軽量化が図られている。このような下側免震架台２２の下面が地面（床面）に固定されており、下側免震架台２２は上側免震架台２１を水平方向に移動するように支持されている。上側免震架台２１は例えば、図２で示すＸ方向とＹ方向に一定距離にわたり移動可能としても良いが、本形態では説明の便宜上のためＸ方向にのみ一定距離にわたり移動するものとして以下説明する。
【００２３】
水平方向免震装置２０の横側には複数のトリガ機能付き固定部１０が固定される。図２（ａ）の上下両側でそれぞれ２個ずつ計４個配置される。
【００２４】
続いてトリガ機能付き固定部１０を水平方向免震装置２０へ取り付けて免震装置１００を構成する作業について説明する。図３（ａ）で示すように上側免震架台２１および下側免震架台２２のネジ孔に合わせるようにしてにそれぞれスペーサ３０を配置する。なお、スペーサ３０は必須構成ではなく、例えばスペーサ３０を不要とするような側面形状を採用しても良い。そして、図３（ｂ）で示すようにスペーサ３０の表面にトリガ機能付き固定部１０を配置し、図３（ｃ）で示すように長孔１１ａや円孔１３ａに固定ねじ４０を挿通させてからねじ締結により上側免震架台２１と下側免震架台２２との間にトリガ機能付き固定部１０を連結固定する。そして、このような取り付けを複数箇所（本形態では４箇所）にわたり行う。
免震装置１００はこのようなものである。
【００２５】
このような免震装置１００では、上側免震架台２１に所定力以下の力が加わるときに複数のトリガ機能付き固定部１０が上側免震架台２１の移動を抑える。また、上側免震架台２１とともにトリガ機能付き固定部１０が多少移動したとしても長孔１１ａが移動して固定ねじ４０によるトリガ機能付き固定部１０の即座の拘束解除を回避しているため、やはり上側免震架台２１の移動を抑える。そして、上側免震架台２１に所定力を超える力が加わるときに、固定ねじ４０が長孔１１ａの端で接触してトリガ機能付き固定部１０の移動が固定ねじ４０により拘束された状態となり、さらに力が加わって全てのトリガ機能付き固定部１０の特に連結固定部１２が破断し、拘束が完全に解除されて上側免震架台２１を移動させて免震する。免震装置１００による免震動作はこのようなものである。
【００２６】
以上本形態のトリガ機能付き固定部１０および免震装置１００について説明した。なお、本形態以外にも各種の変形形態が可能である。例えば、先に説明したトリガ機能付き固定部１０を、図４（ａ），（ｂ）で示すような水平方向に４個の台座２１１を有する大型の水平方向免震装置２０に取り付けて、大型の免震装置１００としても良い。この場合、トリガ機能付き固定部１０を適宜個数を増やして取り付けるようにしても良い。
【００２７】
また、図２，図４にてＸ方向にのみ移動するものとして上下両側でそれぞれ２個ずつ計４個配置されるものであるとして説明したが、水平方向免震装置２０がＸ方向およびＹ方向に移動するものとして上下両側でそれぞれ２個ずつ計４個、および左右両側でそれぞれ２個ずつ計４個、総計８個配置される構成としても良い。これにより、左右上下両方向で移動しないように拘束している。
【００２８】
また、トリガ機能付き固定部１０は第１取り付け部１１を上側免震架台２１に、また、第２取り付け部１３を下側免震架台２２に取り付けたが、上下逆転し、第１取り付け部１１を下側免震架台２２に、また、第２取り付け部１３を上側免震架台２１に取り付けても良い。または、これら変形形態を適宜組み合わせた形態であっても良い。これらのような免震装置１００であっても良い。
【００２９】
続いて、本発明を実施するための他の形態のトリガ機能付き固定部について図を参照しつつ以下に説明する。本形態のトリガ機能付き固定部５０は、図５（ａ），（ｂ）で示すように、第１取り付け部５１、連結固定部５２、第２取り付け部５３、係止部５４を備えている。
また、本形態の免震装置２００は、図７（ａ），（ｂ）で示すように、複数のトリガ機能付き固定部５０、ストッパ金具６０（図６参照）、水平方向免震装置２０を備え、水平方向免震装置２０の側面に複数のトリガ機能付き固定部５０が設置固定される。
【００３０】
続いて各構成について説明する。まず、トリガ機能付き固定部５０の構成について説明する。
第１取り付け部５１は、図５（ａ）で示すように、略長方形の部材であり、水平方向免震装置２０の上側免震架台２１（図７，図８参照）に固定される部分である。
連結固定部５２は、第１取り付け部５１と第２取り付け部５３とを連結する部材であり、長方形の部材である。
第２取り付け部５３は、略長方形の部材であり、水平方向免震装置２０の下側免震架台２２（図７，図８参照）に固定される部分である。
係止部５４は、第１取り付け部５１に対して側面から視て約９０°折り曲げられた状態で連結して設けられている。
【００３１】
このようなトリガ機能付き固定部５０は、一枚の板体から一体に形成され、第１取り付け部５１、連結固定部５２、および、第２取り付け部５３の順で一体に配列された状態となる。これらのような第１取り付け部５１、連結固定部５２、および、第２取り付け部５３は、図５（ｂ）で示すように、ともに板体側面から視たときの厚みｔは同じ幅であって薄く形成されている。さらに、連結固定部５２は、第１取り付け部５１および第２取り付け部５３の横側の幅ａと比較して、正面から視たとき横側の幅ｂが幅薄に形成される。
【００３２】
トリガ機能付き固定部５０は、図５（ａ）のように正面から視ると、その正面の形状が略工字状の形状を有している。また、トリガ機能付き固定部５０は、図５（ｂ）のように側面から視ると、係止部５４が約９０°で折り曲げられているため、その側面の形状が略Ｌ状の形状を有している。
【００３３】
このような形状のトリガ機能付き固定部５０のような製造方法では、適宜の大きさに形成された長方形の一枚板を準備し、この長方形状の一枚板に連結固定部５２の両サイドの側面部材を切り取って切り欠き部５２ａを形成すれば、係止部５４を含む第１取り付け部５１、連結固定部５２、第２取り付け部５３が一体に形成されることとなる。そして係止部５４を含む第１取り付け部５１を所定の位置で折り曲げることにより第１取り付け部５１と一体に連結する係止部５４を形成して完成する。
【００３４】
ストッパ金具６０は、図６（ａ）に示すように中央に凹部６１が形成されて平面がハット形の形状を呈している。また、図６（ｂ）に示すように両側に固定ねじ４０を挿通させてねじ止めするための孔部６２が設けられている。ストッパ金具６０は、図８（ａ）に示すように、上側免震架台２１および下側免震架台２２にそれぞれ２個の固定ねじ４０により固定される。
【００３５】
続いて、このようなトリガ機能付き固定部５０を用いる免震装置２００について図を参照しつつ説明する。本形態の免震装置２００は、図７（ａ），（ｂ）で示すように、複数のトリガ機能付き固定部５０、水平方向免震装置２０、ストッパ金具６０を備え、水平方向免震装置２０の側面に複数のトリガ機能付き固定部５０が設置固定される。さらに水平方向免震装置２０は、上側免震架台２１、下側免震架台２２を備える。
【００３６】
上側免震架台２１は、サーバ等の免震対象（図示せず）が配置される台であり、詳しくは２個の台部２１１と、これら２個の台部２１１を連結する連結梁部２１２と、を備えている。中央には開口部２１３が設けらることとなり軽量化が図られている。
【００３７】
下側免震架台２２は、詳しくは２個の台部２２１と、これら２個の台部２２１を連結する連結梁部２２２と、を備えている。中央には開口部２２３が設けらることとなり軽量化が図られている。このような下側免震架台２２の下面が地面（床面）に固定されており、下側免震架台２２は上側免震架台２１を水平方向に移動するように支持されている。上側免震架台２１は例えば、図７で示すＸ方向とＹ方向に一定距離にわたり移動可能としても良いが、本形態では説明の便宜上のためＸ方向にのみ一定距離にわたり移動するものとして以下説明する。
【００３８】
水平方向免震装置２０の横側には複数のトリガ機能付き固定部５０が固定される。図７（ａ）の上下両側でそれぞれ１個ずつ計２個配置される。また、中央を交差するように配置している。
【００３９】
続いてトリガ機能付き固定部５０を水平方向免震装置２０へ取り付けて免震装置２００を構成する作業について説明する。図８（ａ）で示すように上側免震架台２１および下側免震架台２２にそれぞれストッパ金具６０が上下に配置されているものとする。この場合、上側免震架台２１と凹部６１とで上側の孔部が形成され、また、下側免震架台２２と凹部６１とで下側の孔部が形成されている。そして、図８（ｂ）で示すようにトリガ機能付き固定部５０を上下２個の孔部内に配置し、係止部５４を上側免震架台２１に当接させ、上側免震架台２１と下側免震架台２２との間にトリガ機能付き固定部５０を固定する。この際、上側の孔部に第１取り付け部５１が、また、下側の孔部に第２取り付け部５３が当接する。締結固定部５２はいずれにも当接しない。そして、このような取り付けを複数箇所（本形態では２箇所）にわたり行う。
免震装置２００はこのようなものである。
【００４０】
このような免震装置２００では、上側免震架台２１に所定力以下の力が加わるときに複数のトリガ機能付き固定部５０が上側免震架台２１の移動を抑える。そして、上側免震架台２１に所定力を超える力が加わるときに複数のトリガ機能付き固定部５０の特に連結固定部５２が破断し、上側免震架台２１を移動させて免震する。免震装置２００による免震動作はこのようなものである。
【００４１】
以上本形態のトリガ機能付き固定部５０および免震装置２００について説明した。なお、本形態以外にも各種の変形形態が可能である。例えば、先に説明したトリガ機能付き固定部５０を、図９（ａ），（ｂ）で示すような水平方向に３個の台座２１１を有する大型の水平方向免震装置２０に取り付けて、大型の免震装置２００としても良い。この場合、図９で示すように、トリガ機能付き固定部５０を上下両側でそれぞれ２個ずつ計４個配置されるというように適宜個数を増やして取り付けるようにしても良い。
【００４２】
また、図７，図９にてＸ方向にのみ移動するものとして上下両側でそれぞれ１個ずつ計２個配置されるものであるとして説明したが、Ｘ方向およびＹ方向に移動するものとして上下両側でそれぞれ１個ずつ計２個、および左右両側でそれぞれ１個ずつ計２個配置される構成としても良い。これにより、左右上下両方向で移動しないように拘束している。このような免震装置２００であっても良い。
【００４３】
なお、上記形態ではトリガ機能付き固定部５０を長方形の連結固定部であるものとして説明した。しかしながら、例えば、図１０（ａ），（ｂ）で示すトリガ機能付き固定部７０のように、本体部７１の一方の側に切れ込み部７３を偏らせた状態で設けて配置するようにしても良い。
また、図１１（ａ），（ｂ）で示すトリガ機能付き固定部８０のように、連結固定部がない場合でも比較的破断しやすい材質にてトリガ機能付き固定部８０を形成すれば、本体部８１が破断して上記のようなトリガ機能を発揮できる。このような構成としても良い。
【００４４】
以上、本発明のトリガ機能付き固定部１０，５０および免震装置１００，２００について説明した。本発明によるトリガ機能付き固定部１０，５０は側面が線状または略Ｌ字状であるため、先に説明したように側面配置でも突出するようなことがなくなり、円形の免震装置への中央への配置はもちろんのこと、本発明の側面のように、各種位置に配置することができる。
【００４５】
また、本発明のトリガ機能付き固定部１０，５０を用いる免震装置１００，２００は側面配置構造であるため取り付けは極めて容易になり、組み立てやすくすることができる。
【００４６】
さらにまた、本発明のトリガ機能付き固定部１０，５０は適切な硬度を有する金属や合成樹脂の板体を用いて切り出し加工や曲げ加工程度で製作できるため、製作も容易にすることができる。
【００４７】
さらにまた、トリガ機能付き固定部１０，５０は材質と取り付け部の幅ａに対する連結固定部の幅ｂにより破断する所定力が設計できるため、設計が容易になる。また、破断する所定力の大小は、トリガ機能付き固定部１０，５０の個数を変更することでも可能であり、免震装置１００，２００としての設計も容易である。
【００４８】
さらにまた、トリガ機能付き固定部１０，５０は小形構造であるため、トリガ機構としても小型化が可能であり、その結果免震装置１００，２００の小型化も可能になる。
【００４９】
総じて、簡単な機構でありかつ設計通りの力で破断するようにして、使い勝手のよいトリガ機能付き固定部を提供することができる。
また、このトリガ機能付き固定部を用いて製造容易にし、かつ設計通りの力で免震開始するようにして免震性能を向上させた免震装置を提供することができる。
【産業上の利用可能性】
【００５０】
本発明は、特に構造の簡素化・部品点数の低減等が相俟って大幅なコスト低減を必要とする実現するトリガ機能付き固定部や免震装置に適用することができる。
【符号の説明】
【００５１】
１：免震対象
１００：免震装置
１０：トリガ機能付き固定部
１１：第１取り付け部
１１ａ：長孔
１２：連結固定部
１２ａ：切り欠き部
１３：第２取り付け部
１３ａ：円孔
２０：水平方向免震装置
２１：上側免震架台
２１１：台座
２１２：連結梁部
２１３：開口部
２２：下側免震架台
２２１：台座
２２２：連結梁部
２２３：開口部
３０：スペーサ
４０：固定ねじ
５０：トリガ機能付き固定部
５１：第１取り付け部
５２：連結固定部
５２ａ：切り欠き部
５３：第２取り付け部
５４：係止部
６０：ストッパ金具
６１：凹部
６２：孔部
７０：トリガ機能付き固定部
７１：本体部
７２：係止部
７３：切れ込み部
８０：トリガ機能付き固定部
８１：本体部
８２：係止部
【図１】
2011038619.tif 000003
【図２】
2011038619.tif 000004
【図３】
2011038619.tif 000005
【図４】
2011038619.tif 000006
【図５】
2011038619.tif 000007
【図６】
2011038619.tif 000008
【図７】
2011038619.tif 000009
【図８】
2011038619.tif 000010
【図９】
2011038619.tif 000011
【図１０】
2011038619.tif 000012
【図１１】
2011038619.tif 000013